【事件の表示】
　平成　８年特許願第　５０３４４号「パチンコ機」拒絶査定不服審判事件〔平成　９年　９月１６日出願公開、特開平　９−２３９１２３〕について、次のとおり審決する。
【結　論】
　本件審判の請求は、成り立たない。
【理　由】
１．手続の経緯
　本願は、平成８年３月７日の出願であって、平成１４年１１月１９日付で拒絶理由通知がなされ、同年１２月１９日付で手続補正がなされ、平成１５年９月２４日付で拒絶理由通知がなされ、同年１１月２０日付で手続補正がなされ、平成１６年１月２８日付で拒絶査定がなされ、これに対し、同年２月１７日に審判請求がなされるとともに、同日付で手続補正がなされたものである。
　
２．平成１６年２月１７日付の手続補正についての補正却下の決定
［補正却下の決定の結論］
　　平成１６年２月１７日付の手続補正を却下する。
　
［理由］
（１）補正後の本願発明
　本件補正により、特許請求の範囲の請求項１は、
　
　「遊技領域の下方に発射装置が設けられているとともに、遊技領域と発射装置とを結ぶように発射球誘導レールが敷設されており、発射装置によって発射された遊技球が発射球誘導レールを通って遊技領域内へ導かれる一方、
　遊技領域の前面に開閉自在に設けられた前板の表側に遊技球を貯留する上皿が設置されているとともに、前板の裏側に遊技球を上皿に導く筒状の導球部材が突設されたパチンコ機であって、
　前記遊技領域の下方で前記発射球誘導レールの上方に、回収レール、通過口及び遊技球回収路とからなり、遊技領域から落下する遊技球を回収するための遊技球回収部を設け、該遊技球回収部によって回収される遊技球を前記上皿へと導く一方、
　前記導球部材の口部に、バネによって前記口部を塞ぐ方向に付勢された板状体の塞止部材を設け、
　該塞止部材に、パチンコ機を構成する機構板に設けられた舌片当接部と当接する当接板部を備え、前記前板を閉じた場合には、前記当接板部が前記舌片当接部に当接することによって前記バネの付勢力に抗して口部を開放するように作動する一方、前記前板の開放時には、前記当接板部と前記舌片当接部との当接状態が解除されることによって前記バネの付勢力により口部を塞ぐように作動するようにしたことを特徴とするパチンコ機。」
　
と補正された。
　上記補正は、平成１５年１１月２０日付手続補正書の特許請求の範囲の請求項１に記載した発明を特定するために必要な事項である「前記導球部材の口部に、前記前板の開放時に口部を塞ぐように作動する塞止部材を設ける」を「前記導球部材の口部に、バネによって前記口部を塞ぐ方向に付勢された板状体の塞止部材を設け、該塞止部材に、パチンコ機を構成する機構板に設けられた舌片当接部と当接する当接板部を備え、前記前板を閉じた場合には、前記当接板部が前記舌片当接部に当接することによって前記バネの付勢力に抗して口部を開放するように作動する一方、前記前板の開放時には、前記当接板部と前記舌片当接部との当接状態が解除されることによって前記バネの付勢力により口部を塞ぐように作動するようにした」と限定するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
（２）引用例
　原査定の拒絶の理由に引用された実願平１−７２１６４号（実開平３−１３１８９号）のマイクロフィルム（以下、引用例という。）には、図面とともに、
　 ▽記載事項１：「１  受止めた球の逸出を排出路へ連通する球抜口に限定するよう形成された球受部材を発射レール上方へ球通過空間を存して架設した・・・パチンコ機。
２  球受部材は上面が凹状に形成され球供給ユニツト板閉止時に基板または前記球供給ユニツト板間においてそれぞれ球半径を超える隙間を存せず、かつ少なくとも発射レール全長の上方を超え、球抜口は前記凹状底部に開口するものである・・・パチンコ機。」（実用新案登録請求の範囲）、
　▽記載事項２：「遊技面が停滞していてガラス扉を開けたときに落下する球が発射レールへ流入することなくしたパチンコ機に関する。」（第１頁第１８〜２０行）、
　▽記載事項３：「パチンコ機の全体の概略構成は第４図に示す通りで、本体１１内には遊技盤１２が配設されていると共に、この遊技盤１２の下部に発射装置１３を設けた基板１４が遊技盤１２と面一にして取付けられており、これら遊技盤１２及び基板１４はそれぞれガラス扉１５及び球供給ユニツト板１６により覆われる。また、本体１１の下部前面には球受皿１７及び操作ハンドル１８が設けられる。
　・・・基板１４の前面にはレール１９を構成する発射レール２０・・・と・・・ガイドレール２１・・・とが取付けられて・・・いる。」（第５頁第１〜１５行）、
　▽記載事項４：「球供給ユニツト板１６の前面側には、第４図に示すように、球供給皿２７が設けられて・・・いる。尚、球供給ユニツト板１６の裏側には球供給皿２７に連なる賞球受口２９が設けられ、この賞球受口２９は遊技盤１２に形成された賞球排出口２９｛２９は《３０》の誤字と認められ、以下、《》は当審による訂正である。｝に連通される。そして、遊技盤１２に打出された球が入賞口に入ると、所定数の賞球が賞球排出口２９《３０》から賞球受口２９を通って球供給皿２７に供給されるようになっている。」（第６頁第６〜１７行）、
　▽記載事項５：「球供給ユニツト板１６の裏面には、球受部材としての球受板３２が配設されている。この球受板３２は、球供給ユニツト板１６を閉じたとき、発射レール２０上に位置するようになって・・・いる。そして、この球受板３２は、・・・屈曲形成され、その屈曲部の一方側は排出口２２まで延長されている。また、・・・屈曲部の他方側は発射レール２０のＬ字形折曲部２０ａを越えてその外側まで延長され、・・・ている。かかる球受板３２の屈曲部には球抜口３３が形成され、この球抜口３３は球抜筒３４を介して球供給ユニツト板１６の前面側に設けられた球抜通路３５に連通されている。そして、球供給ユニツト板１６を閉じると、球抜通路３５の出口は排出筒３１に形成された受け口４２ａ《３１ａ》に接続されるようになっている。」（第７頁第４行〜第８頁第５行）、
　▽記載事項６：「球供給皿２７内に球Ｆを収容し、そして操作ハンドル１８を操作する。すると、・・・球が次々と遊技盤１２に打出される。」（第８頁第１２〜１８行）、
　▽記載事項７：「第４図に示すように、遊技中に球が遊技盤１２の釘３７に障え、以後次々と打出されてくる球が捕捉されて「ぶどう状」に詰まることがある。このようになると、ガラス扉１５を開いて球を取出すのであるが、このとき詰まった球が一度に落下し、基板１４と球供給ユニツト板１６との間に入ることがある。このような場合、・・・球受板３２が発射レール２０の全体を上から覆うようにして設けられているので、基板１４と球供給ユニツト板１６との間に入り込んだ球は球受板３２或いはガイドレール２１に受けられ、そして球抜口３３或いは排出口２２から球受皿１７に排出されるようになる。（第１０頁第１〜１３行）、
　▽記載事項８：「球受板３２を球供給ユニツト板１６に取付けたが、第５図に示すように、基板１４に取付けるようにしても良く、このとき玉抜筒３４の前面は球供給ユニツト板１６により閉鎖されると共に、該玉抜筒３４の下端部は球供給ユニツト板１６に形成された孔１６ａにより球抜通路３５に連通さ《す》るように構成すれば良い。」（第１０頁第１７行〜第１１頁第３行）、
との記載が認められる。
　また、上記摘記事項および図４・５等より、球受板３２の屈曲部には球抜口３３が形成され、この球抜口３３は球抜筒３４を介して球供給ユニツト板１６の前面側に設けられた球抜通路３５に連通され、球抜通路３５の出口は排出筒３１に形成された受け口３１ａに接続されるようになっていること（記載事項５）、遊技中に球が遊技盤１２の釘３７に障え、以後次々と打出されてくる球が捕捉されて「ぶどう状」に詰まることがあると、ガラス扉１５を開いて球を取出すとき詰まった球が一度に落下し、基板１４と球供給ユニツト板１６との間に入ることがあり、この場合、基板１４と球供給ユニツト板１６との間に入り込んだ球は球受板３２に受けられ、そして球抜口３３から球受皿１７に排出されるようになること（記載事項７）、球受板３２を球供給ユニツト板１６に取付けたが、基板１４に取付けるようにしても良く、このとき玉抜筒３４の前面は球供給ユニツト板１６により閉鎖されると共に、該玉抜筒３４の下端部は球供給ユニツト板１６に形成された孔１６ａにより球抜通路３５に連通するように構成すれば良いこと（記載事項８）等から、パチンコ機は、「球受板３２、球抜口３３及び玉抜筒３４とからなり、遊技盤１２から落下する球Ｆを回収するための球回収部」を設けていると解される。以上を踏まえれば、引用例には、
　
　「遊技盤１２の下部に発射装置１３が設けられているとともに、遊技盤１２と発射装置１３とを結ぶように発射レール２０が取付けられており、発射装置１３によって打出された球Ｆが発射レール２０を通って遊技盤１２内へ飛出す一方、
　遊技盤１２の前面に開閉自在に設けられた球供給ユニツト板１６の前面側に球Ｆを収容する球供給皿２７が設けられているとともに、球供給ユニツト板１６の裏側には球Ｆを球供給皿２７に供給する筒状の賞球受口２９突設されたパチンコ機であって、
　前記遊技盤１２の下方で前記発射レール２０の上方に、球受板３２、球抜口３３及び玉抜筒３４とからなり、遊技盤１２から落下する球Ｆを回収するための球回収部を設け、該球回収部によって回収される球Ｆを球受皿１７へと排出するパチンコ機。」
　
との発明（以下「引用例発明」という。）が開示されていると認めることができる。
　
（３）対比
　そこで、本願補正発明と引用例発明とを比較すると、引用例発明の「遊技盤１２」は本願補正発明の「遊技領域」に相当し、以下同様に、「下部」は「下方」に、「発射装置１３」は「発射装置」に、「発射レール２０」は「発射球誘導レール」に、「取付けられており」は「敷設されており」に、「打出された」は「発射された」に、「球Ｆ」は「遊技球」に、「飛出す」は「導かれる」に、「球供給ユニツト板１６」は「前板」に、「前面側」は「表側」に、「収容する」は「貯留する」に、「球供給皿２７」は「上皿」に、「設けられている」は「設置されている」に、「供給する」は「導く」に、「賞球受口２９」は「導球部材」に、「球受板３２」は「回収レール」に、「球抜口３３」は「通過口」に、「玉抜筒３４」は「遊技球回収路」に、「球回収部」は「遊技球回収部」に、「排出する」は「導く」にそれぞれ相当している。
　
　また、引用例発明の「球受皿１７へと排出する」と、本願補正発明の「上皿へと導く」は、「特定収容部へと導く」で共通する。したがって、両者は、
　
「遊技領域の下方に発射装置が設けられているとともに、遊技領域と発射装置とを結ぶように発射球誘導レールが敷設されており、発射装置によって発射された遊技球が発射球誘導レールを通って遊技領域内へ導かれる一方、
　遊技領域の前面に開閉自在に設けられた前板の表側に遊技球を貯留する上皿が設置されているとともに、前板の裏側に遊技球を上皿に導く筒状の導球部材が突設されたパチンコ機であって、
　前記遊技領域の下方で前記発射球誘導レールの上方に、回収レール、通過口及び遊技球回収路とからなり、遊技領域から落下する遊技球を回収するための遊技球回収部を設け、該遊技球回収部によって回収される遊技球を特定収容部へと導くようにしたパチンコ機。」
　
の点で一致し、以下の点で相違している。
　
　相違点１、遊技球回収部によって回収される遊技球が導かれる特定収容部が、本願補正発明では、「上皿」であるのに対して、引用例発明では「球受皿１７」である点。
　
　相違点２、導球部材の構造において、本願補正発明では、「導球部材の口部に、バネによって前記口部を塞ぐ方向に付勢された板状体の塞止部材を設け、該塞止部材に、パチンコ機を構成する機構板に設けられた舌片当接部と当接する当接板部を備え、前記前板を閉じた場合には、前記当接板部が前記舌片当接部に当接することによって前記バネの付勢力に抗して口部を開放するように作動する一方、前記前板の開放時には、前記当接板部と前記舌片当接部との当接状態が解除されることによって前記バネの付勢力により口部を塞ぐように作動するようにした」ものであるのに対して、引用例発明では賞球受口２９に塞止部材を設けておらず、本願補正発明のような構成になっていない点、
　
（４）判断
　上記相違点について検討する。
　
　相違点１について、パチンコ機において、遊技球を遊技客に返却する箇所として、下皿又は上皿を選択的に利用することが技術常識であることを考慮すると、引用例発明の下皿である球受皿１７に代えて、本願補正発明の相違点１に係る遊技領域内でぶどう状に詰まる状態を形成している遊技球を回収する上皿とした点に格別の発明力を要したとはいえず、当業者が適宜なし得る程度の設計的事項であるといえる。
　
　相違点２について、一般的に、賞球導出具の入り口に、付勢手段によって前記入り口を塞ぐ方向に付勢された適宜形状の零れ球規制部材を設け、該零れ球規制部材に、パチンコ機を構成する保持枠に設けられた板状変異案内部材と当接する当接部材を備え、賞球導出具を設けた基板を閉じた場合には、前記当接部材が前記板状変異案内部材に当接することによって前記付勢手段の付勢力に抗して入り口を開放するように作動する一方、前記賞球導出具を設けた基板の開放時には、前記当接部材と前記板状変異案内部材との当接状態が解除されることによって前記付勢手段の付勢力により入り口を塞ぐように作動するようにしたことが周知｛例えば、実願平１−１３３００号（実開平２−１０４０９０号）のマイクロフィルム（第１４頁第２０行〜第１６頁第９行、第２０頁第５〜１７行等、第１・２・５図等）、平成１４年１１月１９日付の拒絶の理由に引用された実願昭６０−１７２１１６号（実開昭６２−８２０８４号）のマイクロフィルム（第６頁第８行〜第７頁第７行等、第１・６図等）参照｝である（以下、「周知技術」という。）。そこで、本願補正発明と周知技術とを比較すると、周知技術の「賞球導出具」は本願補正発明の「導球部材」に相当し、以下同様に、「入り口」は「口部」に、「付勢手段」は「バネ」に、「零れ球規制部材」は「塞止部材」に、「保持枠」は「機構板」に、「賞球導出具を設けた基板」は「前板」にそれぞれ相当する。さらに、塞止部材（零れ球規制部材）が、本願補正発明では「板状体」であり、周知技術が板状体ではないが、周知技術の適宜形状を零れる量、入り口の大きさや他の目的によって板状体にすることは設計事項の範囲内であるから、周知技術の「適宜形状」は本願補正発明の「板状体」に相当し、また、周知技術の「板状変異案内部材と当接する当接部材」と本願補正発明の「舌片当接部と当接する当接板部」は、それぞれについて塞止部材（零れ球規制部材）を作動させるための作用点と力点の関係にあり、機構学上において面接触にするか線接触にするかは常識的設計の範囲内であることを考慮すると、「板状変異案内部材」は「舌片当接部」に、「当接部材」は「当接板部」にそれぞれ相当するものであるといえる。
　以上のことを踏まえると、前板の開閉時にパチンコ球の零れ落ちを防止するのに際して、引用例発明の賞球受口２９に前記周知技術を付加して、本願補正発明の相違点２に係る構成とした点に格別の発明力を要したとはいえず、当業者が必要に応じて容易に想到し得るものものといえる。
　
  そして、本願補正発明が奏する効果は、引用例発明および周知技術から当業者が予測し得るものであって格別のものとは認められない。
　したがって、本願補正発明は、引用例発明および周知技術に基づいて、当業者が容易に発明をすることができたものであるから、特許法第２９条第２項の規定により特許出願の際独立して特許を受けることができないものである。
　
（５）むすび
　以上のとおり、本件補正は、平成１８年改正前特許法第１７条の２第５項で準用する同法第１２６条第５項の規定に違反するので、特許法第１５９条第１項の規定において読み替えて準用する同法第５３条第１項の規定により却下すべきものである。
　
３．本願発明について
　平成１６年２月１７日付の手続補正は上記のとおり却下されたので、本願の請求項１に係る発明（以下、同項記載の発明を「本願発明」という。）は、平成１５年１１月２０日付手続補正書の特許請求の範囲の請求項１に記載された事項により特定される、以下のとおりのものである。
　
「遊技領域の下方に発射装置が設けられているとともに、遊技領域と発射装置とを結ぶように発射球誘導レールが敷設されており、発射装置によって発射された遊技球が発射球誘導レールを通って遊技領域内へ導かれる一方、
　遊技領域の前面に開閉自在に設けられた前板の表側に遊技球を貯留する上皿が設置されているとともに、前板の裏側に遊技球を上皿に導く筒状の導球部材が突設されたパチンコ機であって、
　前記遊技領域の下方で前記発射球誘導レールの上方に、回収レール、通過口及び遊技球回収路とからなり、遊技領域から落下する遊技球を回収するための遊技球回収部を設け、該遊技球回収部によって回収される遊技球を前記上皿へと導くとともに、
　前記導球部材の口部に、前記前板の開放時に口部を塞ぐように作動する塞止部材を設けることを特徴とするパチンコ機。」
　
（１）引用例
　原査定の拒絶の理由に引用された引用例、および、その記載事項は、前記「２．（２）」に記載したとおりである。
　
（２）対比・判断
　本願発明の構成要件を全て含み、さらに他の構成要件を付加したものに相当する本願補正発明が、前記「２．（４）」に記載したとおり、引用例発明および周知技術に基づいて、当業者が容易に発明をすることができたものであるから、本願発明も、同様の理由により、引用例発明および周知技術に基づいて、当業者が容易に発明をすることができたものである。
　
（３）むすび
　以上のとおり、本願発明は、引用例発明および周知技術に基づいて、当業者が容易に発明をすることができたものであるから、特許法第２９条第２項の規定により特許を受けることができない。
　よって、結論のとおり審決する。